(57)【特許請求の範囲】
【請求項１】
屋外設置式給湯器のフロントカバーの下方部に形成された燃焼用空気を取り入れる給気用ギャラリの内側に一定の間隙を存して上面が開口された防雨板を備えた給湯器防雨装置において、
上記防雨板の給気用ギャラリと所定の間隔を介して対向する位置に後方へ膨出した箱状の窪みを設け、上記箱状の窪みは窪みの開口部が給気用ギャラリの大きさと同一に又は給気用ギャラリより大きく形成されていることを特徴とする給湯器の防雨装置。
【請求項２】
上記箱状の窪みの上面は後下がりの斜状に形成されている請求項１記載の給湯器の防雨装置。
【発明の詳細な説明】
【０００１】
【発明の属する技術分野】
この発明は、屋外に設置される給湯器のフロントカバーの下方部に形成された燃焼用空気を取り入れる給気用ギャラリから吸引される雨滴が器具内へ侵入するのを防ぐ給湯器の防雨装置に関する。
【０００２】
【従来の技術】
従来のこの種の給湯器の防雨装置としては、たとえば、図５及び図６に例示されているように、フロントカバー１の下方部に形成された燃焼用空気を取り入れるための給気用ギャラリ２の内側に一定の間隙３を存して上面が開口４された防雨板５を備えたものにおいて、上記防雨板５の上面開口４に前下がりの雨滴返し６を設けて給気用ギャラリ２から燃焼用空気とともに吸引される雨滴が器具内へ侵入するのを防ぐようにしたもの（図５参照）、又は防雨板５の上面開口４の上方部に後下がりの雨滴返し６を設けて給気用ギャラリ２から燃焼用空気とともに吸引される雨滴が器具内へ侵入するのを防ぐようにしたもの（図６参照）がある。
【０００３】
【発明が解決しようとする課題】
しかしながら、上記従来の防雨板の上面開口に雨滴返しを設けたものでは、給気用ギャラリからの給気開口が狭くなるため器具抵抗は上昇する。したがって、器具抵抗の上昇により燃焼に必要な空気量を得るために給気用ファンの回転数を相当アップしなければならない。その結果、器具内負圧が高くなり雨滴を吸い込みやすくなるという悪循環になる問題点があった。
また、給気用ファンの回転数のアップにはファンモータのワット数の増大は勿論のこと、ファン騒音も著しくアップするという問題点も併せ有する。
この発明の給湯器の防雨装置は上記課題を解決し、吸込み抵抗と器具内負圧を減少して給気抵抗を低くすることにより、雨滴の器具内への侵入を確実に防止した給湯器の防雨装置の提供を目的としている。
【０００４】
【課題を解決するための手段】
上記課題を解決するこの発明の請求項１の給湯器の防雨装置は、
屋外設置式給湯器のフロントカバーの下方部に形成された燃焼用空気を取り入れる給気用ギャラリの内側に一定の間隙を存して上面が開口された防雨板を備えた給湯器防雨装置において、
上記防雨板の給気用ギャラリと所定の間隔を介して対向する位置に後方へ膨出した箱状の窪みを設け、上記箱状の窪みは窪みの開口部が給気用ギャラリの大きさと同一に又は給気用ギャラリより大きく形成されていることを要旨とする。
【０００６】
上記課題を解決するこの発明の請求項２の給湯器の防雨装置は、上記請求項１記載の給湯器の防雨装置において、
上記箱状の窪みの上面は後下がりの斜状に形成されていることを要旨とする。
【０００７】
上記構成を有するこの発明の請求項１記載の給湯器の防雨装置は、屋外設置式給湯器のフロントカバーの下方部に形成された燃焼用空気を取り入れる給気用ギャラリの内側に一定の間隙を存して上面が開口された防雨板を備えた防雨装置において、上記防雨板の給気用ギャラリと対向する位置に後方へ膨出した箱状の窪みを設け、上記箱状の窪みは窪みの開口部が給気用ギャラリの大きさと同一に又は給気用ギャラリより大きく形成されているから、給気用ギャラリ各部からの雨滴の吸い込みを吸込み抵抗と器具内負圧の減少により殆んどなくす。この結果、雨滴除去作用が適正に行いうる。また、仮りに雨滴が吸い込まれた場合でも箱状の窪みが雨受けとなって雨滴は窪みに付着し窪みからそのまま滴下する。この結果、雨滴の器具内への侵入は完全に防止される。
なお、給気用ギャラリからの給気は一旦窪みに当たり緩流となって上面開口から器具内に送気される。また、窪みはプレス加工等により簡易に成形できるから均一な製品の量産も可能で頗る安価に提供できる。
【０００９】
上記構成を有するこの発明の請求項２記載の給湯器の防雨装置は、上記箱状の窪みの上面は後下がりの斜状に形成されているから、仮りに雨滴が吸い込まれた場合の雨受け部分が後下がりの斜状となっているので、雨滴の滴下がスムーズに行われる。また、給気用ギャラリからの給気の流れもスムーズとなる。
なお、上記斜状部と上方に延びる防雨板との連接部はアール形状とするのが望ましい。
【００１０】
【発明の実施の形態】
以上説明したこの発明の構成、作用を一層明かにするために、以下この発明の給湯器の防雨装置の好適な実施の形態の一例について図面を参照して説明する。なお、上記従来例と同一部分には同一符号を付して説明する。
【００１１】
図１〜図３は給湯器の一例を示した図であり、図４は給気用ギャラリと防雨板との関係の一例を示した図であって、給湯器Ａは図１〜図３に示されているように、下方部に給気用ギャラリ２を有し該給気用ギャラリ２の内側に防雨板５を取り付けたフロントカバー１と、燃焼装置等を収納するバックカバー７と、器具上部で燃焼排気を排出する排気フード８と、その下部に設けられた燃焼装置と、燃焼装置へ燃焼用空気を送り込む給気用ファンと、防雨板５と燃焼装置との間に設置され燃焼制御を司どるコントローラ（以上の各構成部品は図示せず）を備える。
【００１２】
防雨板５は図１及び図３、図４に詳示されているように、板の左右両端を略Ｌ字状に折曲げて折曲片５ａを形成し、その折曲片５ａによりフロントカバー１に取り付けた時の間隙３を確保するようになっている。
上記防雨板５の給気用ギャラリ２と対向する位置に上面９ａが後下がりの斜状となっている箱状の窪み９が後方へ膨出して形成され、この窪み９は給気用ギャラリ２の大きさと同一又は給気用ギャラリ２より大きく形成されている。そして、上記フロントカバー１の下端面には排水孔１０が列穿されている。
【００１３】
図１〜図３において、１１はガス接続口、１２は給水接続口、１３は給湯接続口、１４は電源コード取出口、１５はリモコンコード取出口、１６は圧力逃し弁付き水抜栓、１７は追焚き往き管接続口、１８は追焚き戻り管接続口、１９、２０は取付け座板である。
【００１４】
上記構成において、防雨板５におけるフロントカバー１の給気用ギャラリ２と対向する位置に後方へ膨出した窪み９が設けられているので、給気用ギャラリ２からの給気は一旦窪み９に当たり緩流となって上昇し上面開口４から器具内に送気される。したがって、給気の吸い込み抵抗が小さくなり器具内負圧は減少し、給気用ギャラリ２からの雨滴の吸い込みは僅少で殆んどなくなる。
また、仮りに給気用ギャラリ２から雨滴が給気とともに吸い込まれた場合でも窪み９に付着して窪み９からそのまま滴下し排水孔１０から器具外へ排出される。したがって、雨滴が器具内へ侵入することは全くない。そのため、雨滴が器具の内部まで侵入してコントローラ等を濡らし傷めてしまうことがない。また、この防雨板の窪みはプレス加工等で均一な製品の量産が可能なので、安価に提供できるものである。
さらに、上記防雨板５は給気用ギャラリ２と同一の大きさか又は給気用ギャラリ２より大きく形成され、しかも、窪み９の上面が後下がりに傾斜しているので、雨滴の吸い込みによる除去作用が常時適正に行いうるとともに、器具内への燃焼用空気の供給もスムーズに行われる。
【００１５】
以上この発明の実施形態の一例について説明したが、この発明はこうした実施の形態に何等限定されるものではなく、この発明の要旨を逸脱しない範囲において種々なる態様で実施しうることは勿論である。
【００１６】
【発明の効果】
以上詳述したように、この発明の請求項１記載の給湯器の防雨装置によれば、防雨板の給気用ギャラリと対向する位置に後方へ膨出した箱状の窪みを設け、上記箱状の窪みは窪みの開口部が給気用ギャラリの大きさと同一に又は給気用ギャラリより大きく形成されているから、給気用ギャラリ各部からの雨滴の吸い込みは吸込み抵抗と器具内負圧の減少により殆んどなくなる。したがって、雨滴除去作用が適正に行いうる。また、仮りに雨滴が吸い込まれた場合でも箱状の窪みが雨受けとなって雨滴は窪みに付着し窪みからそのまま滴下する。したがって、雨滴の器具内への侵入は完全に防止され、器具内のコントローラ等の機能部品を雨滴で濡らして傷めることはなく、従来のように給気用ファンの回転数をアップする必要もない。
また、窪みはプレス加工等によって簡易に成形できるから均一な製品の量産も可能となるため安価に提供できる。
【００１８】
この発明の請求項２記載の給湯器の防雨装置によれば、上記箱状の窪みの上面は後下がりの斜状に形成されているから、仮りに雨滴が吸い込まれた場合でも雨滴の付着滴下がスムーズに行われる。また、給気用ギャラリからの給気もスムーズとなる。
【図面の簡単な説明】
【図１】この発明の防雨装置を備えた給湯器の一例を示した一部切欠正面図である。
【図２】その仰視図である。
【図３】その一部切欠側面図である。
【図４】要部だけの縦断側面図である。
【図５】従来例の要部だけの縦断側面図である。
【図６】従来例の要部だけの縦断側面図である。
【符号の説明】
Ａ…給湯器
１…フロントカバー
２…給気用ギャラリ
３…間隙
４…上面開口
５…防雨板
９…窪み
９ａ…窪みの上面
【図１】
0004378443.tif 000002
【図２】
0004378443.tif 000003
【図３】
0004378443.tif 000004
【図４】
0004378443.tif 000005
【図５】
0004378443.tif 000006
【図６】
0004378443.tif 000007